(57)【要約】【課題】記憶部付きシートに対する書き込み等のアクセス動作が失敗した場合のリカバリを円滑に行うことができる画像処理装置を提供する。【解決手段】ＲＦＩＤタグ付き用紙に対し印刷動作（画像処理動作）及び書き込み動作（アクセス動作）を実行した後、書き込み動作に失敗した場合には、排出された用紙をユーザにより供給トレイに再セットさせる。そして、供給トレイにセットされた用紙が書き込み動作に失敗した用紙か否かを判別し、書き込み動作に失敗した用紙に対して失敗した書き込み動作を補うための再書き込み動作を実行する。これにより、書き込み動作に失敗した場合のリカバリを円滑に行うことができる。【選択図】図４
2010199990.tif 000002
【特許請求の範囲】
【請求項１】
供給部にセットされた記憶部付きのシートを搬送し排出する搬送手段と、
前記シートに対し画像の形成若しくは読み取りの画像処理動作を行う画像処理手段と、
前記シートに添付された記憶部に対しデータの読み出し及び書き込みの少なくとも一方のアクセス動作を行うアクセス手段と、
前記供給部から搬送されるシートに対し、前記画像処理手段による画像処理動作と前記アクセス手段によるアクセス動作とを実行し、前記アクセス動作が失敗した場合には、その後、前記供給部にセットされたシートが前記アクセス動作に失敗したシートか否かを判別し、アクセス動作に失敗したシートに対して失敗したアクセス動作を補うための再アクセス動作を前記アクセス手段により実行する制御手段と、
を備える画像処理装置。
【請求項２】
請求項１に記載の画像処理装置において、
前記制御手段は、前記再アクセス動作を行う際に、前記アクセス手段により前記シートの記憶部に記憶されたデータを読み取り、読み取ったデータに基づいてアクセス動作に失敗したシートか否かを判別する。
【請求項３】
請求項１または請求項２に記載の画像処理装置において、
前記制御手段は、前記再アクセス動作を行う際に、前記供給部にセットされたシートがアクセス動作に失敗したシートでない場合には、そのシートに対する再アクセス動作を行わずに排出する。
【請求項４】
供給部にセットされた記憶部付きのシートを搬送し排出する搬送手段と、
前記シートに対し画像の形成若しくは読み取りの画像処理動作を行う画像処理手段と、
前記シートに添付された記憶部に対しデータの読み出し及び書き込みの少なくとも一方のアクセス動作を行うアクセス手段と、
排出されたシートのうちから前記アクセス動作が失敗したシートを識別可能に示す明示手段と、
前記供給部から搬送されるシートに対し、画像処理手段による画像処理動作と前記アクセス手段によるアクセス動作とを実行し、前記アクセス動作が失敗した場合には、前記明示手段により排出されたシートのうちから前記アクセス動作が失敗したシートを示し、その後、前記供給部にセットされたシートに対して、失敗したアクセス動作を補うための再アクセス動作を実行する制御手段と、
を備える画像処理装置。
【請求項５】
請求項４に記載の画像処理装置において、
さらに表示部を備え、
前記明示手段は、排出されたシートのうちから前記アクセス動作に失敗したシートを識別するための情報を前記表示部に表示する。
【請求項６】
請求項４または請求項５に記載の画像処理装置において、
前記明示手段は、前記搬送手段により前記アクセス動作が成功したシートと失敗したシートとを分別して排出する。
【請求項７】
請求項１から請求項６のいずれか一項に記載の画像処理装置において、
前記制御手段は、前記再アクセス動作の際には、前記シートに対する画像処理動作を実行しない。
【請求項８】
請求項１から請求項７のいずれか一項に記載の画像処理装置において、
前記制御手段は、前記再アクセス動作の際に、アクセス動作に失敗したデータを含む一部のデータのみについてのアクセス動作を実行する。
【請求項９】
請求項１から請求項８のいずれか一項に記載の画像処理装置において、
前記アクセス動作に失敗した場合に、排出されたシートを前記供給部にセットするように通知する通知手段を備える。
【請求項１０】
請求項１から請求項９のいずれか一項に記載の画像処理装置において、
さらに、前記アクセス動作に失敗した後に、前記供給部への前記シートのセットが完了したことについての情報を取得する取得手段を備え、
前記制御手段は、前記アクセス動作が失敗した場合に、前記取得手段により前記情報が取得されたことに基づいて、前記再アクセス動作を開始する。
【発明の詳細な説明】
【技術分野】
【０００１】
本発明は、画像処理装置に関し、特にシートに対し画像の形成若しくは画像の読み取りを行う機能と、シートに添付されたＲＦＩＤ等の記憶部に対し、データの書き込み若しくは読み出しを行う機能とを備えた画像処理装置に関する。
【背景技術】
【０００２】
従来より、ＲＦＩＤ（Radio Frequency IDentification）と呼ばれるＩＣチップ（記憶部）付きの用紙（シート）に対して画像の印刷を行うとともに、ＩＣチップに対するデータの書き込み若しくはデータの読み出しを行う機能を備えたプリンタ（画像処理装置）が知られている。こうしたプリンタにおいて、ＩＣチップに対するデータの書き込み等のアクセス動作を行う際には、そのアクセス動作が常に成功するとは限らない。そこで、搬送される用紙がＩＣチップに対するアクセス位置を通過する間にアクセス動作が失敗した場合、用紙を再搬送路を介してアクセス位置に再搬送してアクセス動作をやり直す技術が提案されている（特許文献１参照）。
【先行技術文献】
【特許文献】
【０００３】
【特許文献１】特開２００６−１１０８０２号公報
【発明の概要】
【発明が解決しようとする課題】
【０００４】
しかしながら、ＩＣチップに対するアクセス動作が失敗した場合のリカバリを行うための手段として、上述の技術が必ずしも有効であるとは限らないため、更なる別の手段が要望されていた。
【０００５】
本発明は上記のような事情に基づいて完成されたものであって、記憶部付きシートに対する書き込み等のアクセス動作が失敗した場合のリカバリを円滑に行うことができる画像処理装置を提供することを目的とする。
【課題を解決するための手段】
【０００６】
上記の目的を達成するための手段として、第１の発明に係る画像処理装置は、供給部にセットされた記憶部付きのシートを搬送し排出する搬送手段と、前記シートに対し画像の形成若しくは読み取りの画像処理動作を行う画像処理手段と、前記シートに添付された記憶部に対しデータの読み出し及び書き込みの少なくとも一方のアクセス動作を行うアクセス手段と、前記供給部から搬送されるシートに対し、前記画像処理手段による画像処理動作と前記アクセス手段によるアクセス動作とを実行し、前記アクセス動作が失敗した場合には、その後、前記供給部にセットされたシートが前記アクセス動作に失敗したシートか否かを判別し、アクセス動作に失敗したシートに対して失敗したアクセス動作を補うための再アクセス動作を前記アクセス手段により実行する制御手段と、を備える。
【０００７】
第１の発明によれば、記憶部付きシートに対し画像処理動作及びアクセス動作を実行した後、アクセス動作に失敗した場合には、ユーザにより排出されたシートを供給部に再セットさせる。そして、供給部にセットされたシートがアクセス動作に失敗したシートか否かを判別し、アクセス動作に失敗したシートに対して失敗したアクセス動作を補うための再アクセス動作を実行する。これにより、アクセス動作に失敗した場合のリカバリを円滑に行うことができる。
【０００８】
第２の発明は、第１の発明において、前記制御手段は、前記再アクセス動作を行う際に、前記アクセス手段により前記シートの記憶部に記憶されたデータを読み取り、読み取ったデータに基づいてアクセス動作に失敗したシートか否かを判別する。
【０００９】
第２の発明によれば、再アクセス動作を行う際に、記憶部に記憶されたデータ（ＩＤ情報など）に基づいてアクセス動作に失敗したシートか否かを判別する。これによりアクセス動作に失敗したシートか否かの判別を簡易に行うことができる。
【００１０】
第３の発明は、第１または第２の発明において、前記制御手段は、前記再アクセス動作を行う際に、前記供給部にセットされたシートがアクセス動作に失敗したシートでない場合には、そのシートに対する再アクセス動作を行わずに排出する。
【００１１】
第３の発明によれば、再アクセス動作を行う際に、供給部にセットされたシートがアクセス動作に失敗したシートでない場合には、そのシートに対する再アクセス動作を行わずに排出する。これにより、アクセス動作が完了したシートに対して再度アクセス動作を行うという不要な処理を省くことができる。
【００１２】
第４の発明に係る画像処理装置は、供給部にセットされた記憶部付きのシートを搬送し排出する搬送手段と、前記シートに対し画像の形成若しくは読み取りの画像処理動作を行う画像処理手段と、前記シートに添付された記憶部に対しデータの読み出し及び書き込みの少なくとも一方のアクセス動作を行うアクセス手段と、排出されたシートのうちから前記アクセス動作が失敗したシートを識別可能に示す明示手段と、前記供給部から搬送されるシートに対し、画像処理手段による画像処理動作と前記アクセス手段によるアクセス動作とを実行し、前記アクセス動作が失敗した場合には、前記明示手段により排出されたシートのうちから前記アクセス動作が失敗したシートを示し、その後、前記供給部にセットされたシートに対して、失敗したアクセス動作を補うための再アクセス動作を実行する制御手段と、を備える。
【００１３】
第４の発明によれば、シートに対し画像処理動作及びアクセス動作を実行し、アクセス動作に失敗した場合には、排出されたシートのうちからアクセス動作が失敗したシートを識別可能に示す。そして、ユーザによりアクセス動作に失敗したシートのみが供給部にセットされると、そのシートに対して失敗したアクセス動作を補うための再アクセス動作を実行する。これにより、アクセス動作に失敗した場合のリカバリを円滑に行うことができる。
【００１４】
第５の発明は、第４の発明において、さらに表示部を備え、前記明示手段は、排出されたシートのうちから前記アクセス動作に失敗したシートを識別するための情報を前記表示部に表示する。
【００１５】
第５の発明によれば、排出されたシートのうちからアクセス動作に失敗したシートを識別するための情報（ページ数やシートに形成された画像に関する情報など）を表示する。これにより、ユーザがアクセス動作に失敗したシートのみを容易に取り出して、供給部に再セットすることができる。
【００１６】
第６の発明は、第４または第５の発明において、前記明示手段は、前記搬送手段により前記アクセス動作が成功したシートと失敗したシートとを分別して排出する。
【００１７】
第６の発明によれば、アクセス動作が成功したシートと失敗したシートとを分別して排出する。これにより、ユーザがアクセス動作に失敗したシートのみを容易に取り出し、供給部に再セットすることができる。
【００１８】
第７の発明は、第１から第６のいずれか一つの発明において、前記制御手段は、前記再アクセス動作の際には、前記シートに対する画像処理動作を実行しない。
【００１９】
第７の発明によれば、再アクセス動作の際には、シートに対する画像処理動作を実行しない。これにより、一度画像を形成したシート上に再度画像を形成したり、あるいは画像を読み取ったシートの画像を再度読み取ったりといった不要な処理を省くことができる。
【００２０】
第８の発明は、第１から第７のいずれか一つの発明において、前記制御手段は、前記再アクセス動作の際に、アクセス動作に失敗したデータを含む一部のデータのみについてのアクセス動作を実行する。
【００２１】
第８の発明によれば、再アクセス動作の際に、アクセス動作に失敗したデータを含む一部のデータのみについてのアクセス動作を実行する。これにより、全てのデータについてアクセス動作をやり直す場合に比べると、アクセスするデータの量を減らすことができるため、アクセス動作が成功する可能性を高めることができる。
【００２２】
第９の発明は、第１から第８のいずれか一つの発明において、前記アクセス動作に失敗した場合に、排出されたシートを前記供給部にセットするように通知する通知手段を備える。
【００２３】
第９の発明によれば、アクセス動作に失敗した場合に、排出されたシートを供給部にセットするように通知するため、ユーザが適切に対処することができる。
【００２４】
第１０の発明は、第１から第９のいずれか一つの発明において、さらに、前記アクセス動作に失敗した後に、前記供給部への前記シートのセットが完了したことについての情報を取得する取得手段を備え、前記制御手段は、前記アクセス動作が失敗した場合に、前記取得手段により前記情報が取得されたことに基づいて、前記再アクセス動作を開始する。
【００２５】
第１０の発明によれば、アクセス動作が失敗した場合に、供給部へのシートのセットが完了したことについての情報が取得されたこと（例えば、ユーザにより操作部からセットの完了を示す情報が入力されたことや、あるいは供給部へのシートのセットがセンサにより検知されたことなど）に基づいて、再アクセス動作を開始する。これにより、適切なタイミングで再アクセス動作が実行されるため、リカバリを円滑に行うことができる。
【発明の効果】
【００２６】
本発明によれば、記憶部付きシートに対し画像処理動作及びアクセス動作を実行した後、アクセス動作に失敗した場合には、ユーザにより排出されたシートを供給部に再セットさせる。そして、供給部にセットされたシートがアクセス動作に失敗したシートか否かを判別し、アクセス動作に失敗したシートに対して失敗したアクセス動作を補うための再アクセス動作を実行する。あるいは、シートに対し画像処理動作及びアクセス動作を実行し、アクセス動作に失敗した場合には、排出されたシートのうちからアクセス動作が失敗したシートを識別可能に示す。そして、ユーザによりアクセス動作に失敗したシートのみが供給部にセットされると、そのシートに対して失敗したアクセス動作を補うための再アクセス動作を実行する。これらにより、アクセス動作に失敗した場合のリカバリを円滑に行うことができる。
【図面の簡単な説明】
【００２７】
【図１】本発明の実施形態１におけるプリンタの電気的構成を簡略に示すブロック図
【図２】プリンタの全体構成を簡略に示す断面図
【図３】印刷書込処理を示すフローチャート
【図４】印刷書込処理を示すフローチャート
【図５】実施形態２における印刷書込処理を示すフローチャート
【図６】印刷書込処理を示すフローチャート
【図７】実施形態３における複合機の電気的構成を簡略に示すブロック図
【図８】複合機の全体構成を簡略に示す断面図
【図９】読み取り処理を示すフローチャート
【図１０】読み取り処理を示すフローチャート
【発明を実施するための形態】
【００２８】
＜実施形態１＞
次に本発明の実施形態１について図１から図４を参照して説明する。
【００２９】
（プリンタの構成）
図１は、本発明の画像処理装置の一例であるプリンタ１の電気的構成を簡略に示すブロック図であり、図２は、プリンタ１の全体構成を簡略に示す断面図である。
【００３０】
プリンタ１は、図１に示すように、ＣＰＵ１１、ＲＯＭ１２、ＲＡＭ１３、ＮＶＲＡＭ（不揮発性メモリ）１４、ネットワークインターフェイス１５を備え、これらに画像形成部１７、ＩＣリーダライタ１８、表示部１９、操作部２０、搬送機構２１等を接続した構成となっている。
【００３１】
ＲＯＭ１２には、後述する印刷書込処理など、このプリンタ１の各種の動作を実行するためのプログラムが記憶されており、ＣＰＵ１１（制御手段、明示手段の一例）は、ＲＯＭ１２から読み出したプログラムに従って、その処理結果をＲＡＭ１３またはＮＶＲＡＭ１４に記憶させながら各部の制御を行う。ネットワークインターフェイス１５（通知手段の一例）は、ネットワーク回線を介して外部のコンピュータ（図示せず）等に接続され、これにより相互のデータ通信が可能となっている。
【００３２】
画像形成部１７（画像処理手段の一例）は、１色または複数色の着色剤（インクやトナー）を用いて用紙２５（シートの一例）上に画像を形成する。ＩＣリーダライタ１８（アクセス手段の一例）は、用紙２５に添付されたＲＦＩＤタグ２５Ａ（記憶部の一例）と電波による通信を行うことで、ＲＦＩＤタグ２５Ａに記録されたデータの読み出し、及びＲＦＩＤタグ２５Ａへのデータの書き込みのうちいずれか一方、若しくは読み出しと書き込み）の両方の動作（以下、これらの動作をアクセス動作ともいう。）を行う機能を有している。
【００３３】
表示部１９（通知手段の一例）は、ディスプレイやランプ等を備え、各種の設定画面や装置の動作状態等を表示することが可能である。操作部２０（取得手段の一例）は、複数のボタンを備えており、ユーザにより各種動作の指示などの入力操作が可能である。搬送機構２１（搬送手段の一例）は、用紙２５を搬送するための複数のローラやベルト、搬送路を切り替えるフラッパ２９（図２参照）等を備えている。
【００３４】
また、プリンタ１は、図２に示すように、複数枚の用紙２５を積載可能な供給トレイ２６（供給部の一例）を備えている。搬送機構２１は、供給トレイ２６に積載された用紙２５のうち最上位の一枚を送り出し、その用紙２５を画像形成部１７による画像形成が可能な画像形成位置に搬送し、次いでＩＣリーダライタ１８によるアクセス動作が可能なアクセス位置に搬送する。
【００３５】
さらに、プリンタ１は、複数枚の用紙２５を積載可能な第１トレイ２７及び第２トレイ２８を備えており、搬送機構２１は、アクセス位置を通過した用紙２５をフラッパ２９により第１トレイ２７または第２トレイ２８の一方に導いて排出する。
【００３６】
（印刷書込処理）
図３及び図４は、ＣＰＵ１１の制御により実行される印刷書込処理を示すフローチャートである。この印刷書込処理は、ＲＦＩＤタグ２５Ａ付きの用紙２５に対し、画像の印刷と、ＲＦＩＤタグ２５Ａへのデータの書き込みとを行うための処理である。印刷書込処理は、例えば、プリンタ１に接続された外部のコンピュータ等から送信された印刷書込指示をネットワークインターフェイス１５を介して受信した場合に実行される。この印刷書込指示には、例えば、印刷対象となる画像データや、印刷ページ数、色数（カラー／モノクロ等）、解像度などの各種印刷条件の設定値、ＲＦＩＤタグ２５Ａへの書き込み内容の指示などが含まれている。
【００３７】
ＣＰＵ１１は、図３に示す印刷書込処理を開始すると、１枚の用紙２５に添付されるＲＦＩＤタグ２５Ａに書き込むデータ（ＲＦＩＤデータという）を印刷書込指示に含まれる指示内容に従ってＲＡＭ１３上に作成する（Ｓ１０１）。なお、ここで作成されるＲＦＩＤデータは、例えば、印刷書込指示を出力したコンピュータ等のユーザ名や、実行日時、印刷条件などの情報であっても良く、あるいは印刷を行う画像のデータであっても良い。
【００３８】
次に、ＣＰＵ１１は、搬送機構２１により供給トレイ２６に積載される１枚のＲＦＩＤタグ２５Ａ付き用紙２５を送り出す（Ｓ１０２）。そして、画像形成部１７により用紙２５上に印刷書込指示に含まれる画像データに基づく画像を印刷する（Ｓ１０３）。
続いて、ＣＰＵ１１は、用紙２５のＲＦＩＤタグ２５Ａがアクセス位置に至ったときに、ＩＣリーダライタ１８によりＲＦＩＤタグ２５ＡにＲＦＩＤデータを書き込む（Ｓ１０４）。このとき、ＣＰＵ１１は、書き込み動作が成功したか、即ちＲＦＩＤタグ２５Ａに書き込むべき全てのＲＦＩＤデータが書き込まれたかを調べる。
【００３９】
より具体的には、例えば、用紙２５のＲＦＩＤタグ２５Ａがアクセス位置を通過する間に、ＩＣリーダライタ１８によりＲＦＩＤタグ２５Ａに書き込まれたデータを読み出し、読み出したデータと書き込んだデータとの整合性を調べ、整合しないデータあるいは読み取れなかったデータが存在する場合にそのデータを書き込み未完了分のデータとし、書き込み動作が正常に完了しなかったと判断する。
【００４０】
あるいは、ＲＦＩＤタグに書き込むＲＦＩＤデータを複数のパートに分割し、各パートごとにデータの書き込みと、書き込んだデータの読み出しとを順に行って、両データの整合性を調べ、整合しないデータが存在するパートや書き込みまたは読み出しが完了しなかったパートが存在する場合に、そのパートのデータを書き込み未完了のデータとし、書き込み動作が正常に完了しなかったと判断する。
【００４１】
ＣＰＵ１１は、ＲＦＩＤタグ２５Ａへの書き込みが成功したと判断した場合（Ｓ１０５：Ｙｅｓ）には、元のＲＦＩＤデータをＲＡＭ１３から消去する（Ｓ１０６）。
また、ＲＦＩＤタグ２５Ａへの書き込みが失敗したと判断した場合（Ｓ１０５：Ｎｏ）には、元のＲＦＩＤデータのうち、少なくとも書き込み未完了のデータを含むＲＦＩＤデータを、ＲＡＭ１３に記憶する（Ｓ１０８）。
【００４２】
ここでは、書き込み未完了のデータとともに、書き込みに失敗した用紙２５を特定するための特定情報をＲＡＭ１３に記憶する。この特定情報とは、例えば、書き込みに失敗した用紙２５の順番（ページ）である。また、ＲＦＩＤタグ２５Ａに予め認証番号が記憶されている場合には、書き込み時にその認証番号を読み出し、その認証番号を特定情報として記憶しても良い。なお、書き込み未完了のデータを記憶した後、元のＲＦＩＤデータについてはＲＡＭ１３から消去する。
【００４３】
その後、ＣＰＵ１１は、搬送機構２１により用紙２５を第１トレイ２７に排出する（Ｓ１０７）。そして、ＣＰＵ１１は、印刷書込指示により指示されたページ数の印刷が行われたかを判断し、残りの（未印刷の）ページが存在する場合（Ｓ１０９：Ｙｅｓ）には、Ｓ１０１に戻り、次のページについて同様の処理（Ｓ１０１〜Ｓ１０８）を繰り返す。
【００４４】
こうして全てのページについての印刷及び書き込み動作が終了すると（Ｓ１０９：Ｎｏ）、ＣＰＵ１１は、書き込み動作を行った全ての用紙２５について書き込みが成功したかを判断し（Ｓ１１０）、成功したと判断した場合（Ｓ１１０：Ｙｅｓ）には、この印刷書込処理を終了する。また、書き込みに失敗した用紙２５が存在する場合（Ｓ１１０：Ｎｏ）には、次に示すリカバリ処理を実行する（Ｓ１１１）。
【００４５】
このリカバリ処理では、ＲＦＩＤデータの書き込みに失敗した用紙２５に対して、再度データの再書き込み（再アクセス動作の一例）を行う。ＣＰＵ１１は、図４に示すリカバリ処理を開始すると、ＲＦＩＤデータの書き込みに失敗した用紙２５が存在する旨、及び第１トレイ２７に排出された用紙２５を供給トレイ２６に再セットするよう促す旨の通知をユーザに対して行う（Ｓ２０１）。
【００４６】
この通知は、表示部１９にメッセージを表示することで行っても良く、あるいはプリンタ１に設けた発音手段（図示せず）により音声を発することで行っても良い。さらに、印刷書込指示を送信したコンピュータ等にネットワークインターフェイス１５を介して、同様の主旨の情報を通知する信号を送信し、その信号を受けたコンピュータ等がディスプレイにメッセージを表示するようにしても良い。ユーザは、この通知を受けて、第１トレイ２７に排出された用紙２５を取り出し、その用紙２５を供給トレイ２６に再セットする。このとき、第１トレイ２７に排出された用紙２５が複数枚である場合には、その全ての用紙２５を取り出し、それらの用紙２５の順序を変えたり一部を抜き出したりせずにそのまま供給トレイ２６に再セットすればよい。
【００４７】
続いて、ＣＰＵ１１は、ユーザによる用紙２５の再セット作業の完了を待機する（Ｓ２０２）。ここでは、供給トレイ２６への再セットが完了したことを示す何らかの情報が取得されるのを待機する。具体的には、例えば、ユーザにより再セット完了の指示（若しくは再書き込み動作実行の指示）が操作部２０（若しくは外部のコンピュータ等）から入力されるのを待機する。あるいは、供給トレイ２６の開閉動作を検知するセンサ（図示せず）により供給トレイ２６が開放された後、閉じられたことが検知されるのを待機しても良い。
【００４８】
用紙２５の再セットが完了した場合（Ｓ２０２：Ｙｅｓ）には、供給トレイ２６から一枚の用紙２５を送り出す（Ｓ２０３）。なお、このリカバリ処理では、画像形成部１７による画像の印刷は実行されず、用紙２５は、画像形成位置を通過してアクセス位置へと搬送される。
【００４９】
続いてＣＰＵ１１は、搬送される用紙２５がＲＦＩＤデータの書き込みに失敗したページであるかを既述の特定情報に基づいて判断する（Ｓ２０４）。例えば、特定情報として書き込みに失敗した用紙２５の順番（ページ）が記憶されている場合には、送り出した用紙２５がその順番に対応するかを判断する。また、特定情報として書き込みに失敗したＲＦＩＤタグ２５Ａの識別番号を記憶している場合には、ＩＣリーダライタ１８により搬送中の用紙２５のＲＦＩＤタグ２５Ａから識別番号を読み取り、両者を照合することにより判断する。
【００５０】
ＣＰＵ１１は、搬送される用紙２５が書き込みに失敗したページでない場合（Ｓ２０４：Ｎｏ）には、以下の再書き込み動作を実行せずに、Ｓ２０９に進んで第１トレイ２７に用紙２５を排出する。
【００５１】
ＣＰＵ１１は、搬送される用紙２５が書き込みに失敗したページである場合（Ｓ２０４：Ｙｅｓ）には、ＲＡＭ１３等からそのページに対応する書き込み未完了のＲＦＩＤデータを読み出し、そのデータをＲＦＩＤタグ２５Ａに書き込む再書き込み動作を実行する（Ｓ２０５）。ここでＲＦＩＤタグ２５Ａに新たに書き込まれたデータは、先の書き込みにより書き込まれたデータに追加される。そして、再書き込みが成功した場合（Ｓ２０６：Ｙｅｓ）には、ＲＡＭ１３から元のＲＦＩＤデータを消去する（Ｓ２０７）。なお、再書き込み動作が失敗した場合（Ｓ２０６：Ｎｏ）には、書き込み未完了のデータを特定情報とともにＲＡＭ１３に保存し（Ｓ２０８）、元のＲＦＩＤデータをＲＡＭ１３から消去する。
【００５２】
このように、上述の再書き込み動作時においては、先の書き込み動作における書き込み完了分のデータについては、書き込み動作の少なくとも一部を省略することができる。このため、先の書き込み動作において書き込みが完了したデータがある程度存在する場合には、全てのデータについて再度書き込みを行う場合に比べると、書き込むべきデータの量が減少することになる。従って、再書き込み動作時には、先の書き込み時よりも書き込み動作を正常に完了できる可能性が高まることになる。
【００５３】
続いて、ＣＰＵ１１は、用紙２５を第１トレイ２７に排出し（Ｓ２０９）、未処理の用紙２５があれば、Ｓ２０３に戻って同様の処理を繰り返す。全ての用紙２５について処理を終えた場合（Ｓ２１０：Ｙｅｓ）には、全てのＲＦＩＤタグデータの書き込みが成功したかを判断する（Ｓ２１１）。そして、全てのＲＦＩＤデータの書き込みが成功した場合（Ｓ２１１：Ｙｅｓ）には、このリカバリ処理を抜ける。また、書き込みに失敗した用紙２５が存在する場合（Ｓ２１１：Ｎｏ）には、リカバリ処理を再度実行する（Ｓ２１２）。
【００５４】
これにより印刷書込指示において指示された全てのページについて書き込みが正常に完了するまで、リカバリ処理が繰り返される。なお、リカバリ処理の実行回数は制限しても良く、例えば、リカバリ処理を２度行っても書き込みが正常にできないＲＦＩＤタグ２５Ａが存在する場合には、書き込みのエラーが生じた旨を表示部１９等により通知し、リカバリ処理を終了するようにしても良い。
【００５５】
（本実施形態の効果）
以上のように本実施形態によれば、ＲＦＩＤタグ２５Ａ付き用紙２５に対し印刷動作（画像処理動作）及び書き込み動作（アクセス動作）を実行した後、書き込み動作に失敗した場合には、排出された用紙２５をユーザにより供給トレイ２６に再セットさせる。そして、供給トレイ２６にセットされた用紙２５が書き込み動作に失敗した用紙２５か否かを判別し、書き込み動作に失敗した用紙２５に対して失敗した書き込み動作を補うための再書き込み動作を実行する。これにより、書き込み動作に失敗した場合のリカバリを円滑に行うことができる。
【００５６】
また、本実施形態によれば、再書き込みを行う際に、書き込み動作に失敗した用紙２５を再搬送路を介してアクセス位置に再搬送する機能が不要である。このため、再搬送路を備えていない簡易な構成でリカバリを実現することが可能になる。
【００５７】
また、再書き込み動作を行う際に、ＲＦＩＤタグ２５Ａに記憶された識別情報等のデータに基づいて書き込み動作に失敗した用紙２５か否かを判別する。これにより書き込み動作に失敗した用紙２５か否かの判別を簡易に行うことができる。
【００５８】
また、再書き込み動作を行う際に、供給トレイ２６にセットされた用紙２５が書き込み動作に失敗した用紙２５でない場合には、その用紙２５に対する再書き込み動作を行わずに排出する。これにより、書き込み動作が完了した用紙２５に対して再度書き込み動作を行うという不要な処理を省くことができる。
【００５９】
また、再書き込み動作の際には、用紙２５に対する画像形成動作を実行しない。これにより、一度画像を形成した用紙２５上に再度画像を形成する、といった不要な処理を省くことができる。
【００６０】
また、再書き込み動作の際に、書き込み動作に失敗したデータを含む一部のデータのみについての書き込み動作を実行する。これにより、全てのデータについて書き込み動作をやり直す場合に比べると、書き込むデータの量を減らすことができるため、書き込み動作が成功する可能性を高めることができる。また、これにより、ＲＡＭ１３等のメモリの使用量を抑えることができる。
【００６１】
また、書き込み動作に失敗した場合に、排出された用紙２５を供給トレイ２６にセットするように通知するため、ユーザが適切に対処することができる。
【００６２】
また、書き込み動作が失敗した場合に、供給トレイ２６への用紙２５のセットが完了したことについての情報が取得されたこと（例えば、ユーザにより操作部２０からセットの完了を示す情報が入力されたことや、あるいは供給トレイ２６への用紙２５のセットがセンサにより検知されたことなど）に基づいて、再書き込み動作を開始する。これにより、適切なタイミングで再書き込み動作が実行されるため、リカバリを円滑に行うことができる。
【００６３】
＜実施形態２＞
次に本発明の実施形態２について図５及び図６を参照して説明する。
【００６４】
（印刷書込処理）
図５及び図６は、本実施形態の印刷書込処理を示すフローチャートである。
本実施形態では、プリンタ１において、書き込み動作に成功した用紙２５と失敗した用紙２５とを分別して排出する例を示す。なお、印刷書込処理の多くの動作は実施形態１と同様であるため、実施形態１と同様の処理には同一のステップ番号を付し、重複する説明を適宜省略する。
【００６５】
ＣＰＵ１１は、図５に示す印刷書込処理において、ＲＦＩＤデータの書き込みを行った後（Ｓ１０４）、書き込みに成功した場合（Ｓ１０５：Ｙｅｓ）には、そのＲＦＩＤデータをＲＡＭ１３から消去し（Ｓ１０６）、用紙２５を第１トレイ２７に排出する（Ｓ１０８）。また、ＲＦＩＤデータの書き込みに失敗した場合（Ｓ１０５：Ｎｏ）には、元のＲＦＩＤデータのうち、少なくとも書き込み未完了のデータを含むＲＦＩＤデータを、書き込みに失敗した用紙２５を特定するための特定情報とともに、ＲＡＭ１３等に記憶する（Ｓ１０７）。そして、搬送機構２１により書き込みに失敗した用紙２５を第２トレイ２８に排出する（Ｓ３０１）。
【００６６】
印刷書込指示において指示された全てのページについて上記処理が行われることにより、ＲＦＩＤデータの書き込みに成功した用紙２５は第１トレイ２７に、書き込みに失敗した用紙２５は第２トレイ２８に分別して排出される。その後、書き込みに失敗した用紙２５が存在した場合（Ｓ１１０：Ｎｏ）には、リカバリ処理を実行する（Ｓ１１１）。
【００６７】
このリカバリ処理では、図６に示すように、ＲＦＩＤデータの書き込みに失敗した用紙２５が存在する旨、及び第２トレイ２８に排出された用紙２５を供給トレイ２６に再セットするよう促す旨の通知をユーザに対して行う（Ｓ４０１）。ユーザは、この通知を受けて第２トレイ２８の用紙２５を取り出し、その用紙２５、即ち書き込みに失敗した全ての用紙２５を供給トレイ２６にセットする。
【００６８】
そして、ＣＰＵ１１は、用紙２５の再セットが完了した後（Ｓ２０２：Ｙｅｓ）、供給トレイ２６から用紙２５を送り出して（Ｓ２０３）、ＲＦＩＤタグ２５Ａに対し書き込み未完了のＲＦＩＤデータの再書き込みを行う（Ｓ２０５）。ＲＦＩＤデータの書き込みに成功した場合（Ｓ２０６：Ｙｅｓ）には元のＲＦＩＤデータを消去し（Ｓ２０７）、その用紙２５を第１トレイ２７に排出する（Ｓ２０９）。また、書き込みに失敗した場合（Ｓ２０６：Ｎｏ）には、さらに書き込み未完了のデータをＲＡＭ１３に保存し（Ｓ２０８）、用紙２５を第２トレイ２８に排出する（Ｓ４０２）。
【００６９】
供給トレイ２６にセットされた全ての用紙２５について上記処理を行うことで、書き込みに成功した用紙２５は第１トレイ２７に、書き込みに失敗した用紙２５は第２トレイ２８に分離して排出される。その後、書き込みに失敗した用紙２５が存在した場合（Ｓ２１１：Ｎｏ）には、本リカバリ処理を再度実行する（Ｓ２１２）。
【００７０】
（本実施形態の効果）
以上のように本実施形態によれば、用紙２５に対し印刷及び書き込み動作を実行し、書き込み動作に失敗した場合には、排出された用紙２５のうちから書き込み動作が失敗した用紙２５を識別可能に示す。そして、ユーザにより書き込み動作に失敗した用紙２５のみが供給トレイ２６にセットされると、その用紙２５に対して失敗した書き込み動作を補うための再書き込み動作を実行する。これにより、書き込み動作に失敗した場合のリカバリを円滑に行うことができる。
【００７１】
また、書き込み動作が成功した用紙２５と失敗した用紙２５とを分別して排出する。これにより、ユーザが書き込み動作に失敗した用紙２５のみを容易に取り分けて、供給トレイ２６に再セットすることができる。
【００７２】
＜実施形態３＞
次に本発明の実施形態３について図７から図１０を参照して説明する。
【００７３】
（複合機の全体構成）
図７は、本発明の画像処理装置の一例である複合機３０の電気的構成を簡略に示すブロック図であり、図８は、複合機３０の全体構成を簡略に示す断面図である。なお、本実施形態において、上記実施形態とほぼ同様の機能を有する構成には、同一の符号を付して説明を適宜省略する。
【００７４】
複合機３０は、図７及び図８に示すように、供給トレイ２６にセットされた用紙２５に対して画像の印刷を行う画像形成部１７、用紙２５に添付されるＲＦＩＤタグ２５Ａに書き込み等を行うＩＣリーダライタ１８、用紙２５が排出される排出トレイ３１を備えている。さらに、複合機３０は、原稿３２（シートの一例）の読み取りを行うための原稿読取部３３（画像処理部の一例）を備えている。
【００７５】
原稿読取部３３は、複数枚の原稿３２を積載可能な原稿供給トレイ３４（供給部の一例）及び原稿排出トレイ３５と、原稿供給トレイ３４にセットされた原稿３２を一枚ずつ原稿排出トレイ３５まで搬送する原稿供給機構３６（搬送手段の一例）とを備えている。また、原稿供給トレイ３４には、原稿３２の有無を光学的に検知する原稿センサ３７（取得手段の一例）が設けられている。さらに、原稿読取部３３は、原稿３２の搬送路上に、原稿３２に添付されたＲＦＩＤタグ３２Ａ（記憶部の一例）と電波により通信を行うことで、ＲＦＩＤタグ３２Ａに記録されたデータを読み出すＩＣリーダ３８（アクセス手段の一例）と、原稿３２を走査して読み取り、原稿画像に対応した画像データを出力するスキャナ部３９（画像処理手段の一例）とを備えている。
【００７６】
（読み取り処理）
図９及び図１０は、ＣＰＵ１１の制御により実行される読み取り処理を示すフローチャートである。この読み取り処理は、ＲＦＩＤタグ３２Ａ付きの原稿３２に対し、原稿画像の読み取り（画像処理動作の一例）と、ＲＦＩＤタグ３２Ａに記憶されたＲＦＩＤデータの読み出し（アクセス動作の一例）とを行うための処理である。本実施形態では、読み取り処理によって取得された画像データ及びＲＦＩＤデータを、ネットワークインターフェイス１５を介して外部のコンピュータ等に送信する。
【００７７】
ＣＰＵ１１は、図９に示す読み取り処理を開始すると、原稿供給機構３６により原稿供給トレイ３４に積載された一枚の原稿３２を送り出す（Ｓ５０１）。そして、ＣＰＵ１１は、ＩＣリーダ３８により原稿３２のＲＦＩＤタグ３２Ａに記憶されたＲＦＩＤデータを読み出す（Ｓ５０２）。続いて、スキャナ部３９によりその原稿３２の原稿画像を読み取る（Ｓ５０３）。
【００７８】
そして、ＣＰＵ１１は、ＲＦＩＤデータの読み出しに成功した場合（Ｓ５０４：Ｙｅｓ）には、画像データ及びＲＦＩＤデータをネットワークインターフェイス１５を介して出力する（Ｓ５０５）。また、ＲＦＩＤデータの読み出しに失敗した場合（Ｓ５０４：Ｎｏ）には、画像データを、読み出しに失敗した原稿３２を特定するための特定情報とともにＲＡＭ１３に保存する（Ｓ５０６）。なお、特定情報とは、例えば、読み出しに失敗した原稿３２の順番（ページ）である。また、ＲＦＩＤタグ３２Ａに記憶された識別番号を読み出すことができる場合には、その識別番号を特定情報として保存しても良い。
【００７９】
続いて、ＣＰＵ１１は、原稿供給機構３６によって原稿３２を原稿排出トレイ３５に排出する（Ｓ５０７）。そして、原稿供給トレイ３４上の原稿３２の有無を原稿センサ３７により調べ（Ｓ５０８）、残りの原稿３２が存在する場合（Ｓ５０８：Ｙｅｓ）には、Ｓ５０１に戻り、次の原稿３２について同様の処理（Ｓ５０１〜Ｓ５０７）を繰り返す。
【００８０】
全ての原稿３２について画像の読み取りを行った場合（Ｓ５０８：Ｎｏ）には、全ての原稿３２についてＲＦＩＤデータの読み出しが成功したかを判断し（Ｓ５０９）、全ての原稿３２についてＲＦＩＤデータの読み出しが成功した場合（Ｓ５０９：Ｙｅｓ）には、この読み取り処理を終了する。また、ＲＦＩＤデータの読み出しに失敗した原稿３２が存在する場合（Ｓ５０９：Ｎｏ）には、次のリカバリ処理を実行する（Ｓ５１０）。
【００８１】
このリカバリ処理では、ＲＦＩＤデータの読み出しに失敗した原稿３２に対して、再度データの読み出し（再アクセス動作の一例）を行う。ＣＰＵ１１は、図１０に示すリカバリ処理を開始すると、読み出しに失敗した原稿３２が存在する旨、及び排出された原稿３２を原稿供給トレイ３４に再セットするよう促す旨の通知をユーザに対して行う（Ｓ６０１）。ユーザは、この通知を受けて、原稿排出トレイ３５に排出された全ての原稿３２を取り出し、その原稿３２を原稿供給トレイ３４に再セットする。
【００８２】
続いて、ＣＰＵ１１は、ユーザによる用紙２５の再セット作業の完了を待機する（Ｓ６０２）。ここでは、例えば、原稿センサ３７により原稿３２が検知されたことに基づいて、原稿３２の再セットが完了したと判断する。そして、原稿３２の再セットが完了した場合（Ｓ６０２：Ｙｅｓ）には、原稿供給トレイ３４から一枚の原稿３２を送り出す（Ｓ６０３）。
【００８３】
続いてＣＰＵ１１は、搬送される原稿３２がＲＦＩＤデータの読み出しに失敗した原稿３２であるかを既述の特定情報に基づいて判断する（Ｓ６０４）。例えば、特定情報として読み出しに失敗した原稿３２の順番（ページ）が記憶されている場合には、送り出した原稿３２がその順番に対応するかを判断する。また、特定情報として読み出しに失敗したＲＦＩＤタグ３２Ａの識別番号を記憶している場合には、ＩＣリーダ３８により搬送中の原稿３２のＲＦＩＤタグ３２Ａから識別番号を読み取り、両者を照合することにより判断する。
【００８４】
ＣＰＵ１１は、搬送される原稿３２が読み出しに失敗したページでない場合（Ｓ６０４：Ｎｏ）には、以下の再読み出し動作を実行せずに、Ｓ６０９に進んで原稿排出トレイ３５に原稿３２を排出する。なお、このリカバリ処理では、スキャナ部３９による原稿画像の読み取りは実行されない。
【００８５】
また、ＣＰＵ１１は、搬送される原稿３２が読み出しに失敗したページである場合（Ｓ６０４：Ｙｅｓ）には、ＩＣリーダ３８によりＲＦＩＤタグ３２ＡからＲＦＩＤデータの読み出しを行う（Ｓ６０５）。ＲＦＩＤデータの読み出しに成功した場合（Ｓ６０６：Ｙｅｓ）には、その原稿３２に対応する、先の読み取り時に取得された画像データをＲＡＭ１３から読み出し、その画像データと得られたＲＦＩＤデータとを合わせて出力する（Ｓ６０７）。そして、ＲＡＭ１３に保存した画像データを消去し（Ｓ６０８）、原稿３２を原稿排出トレイ３５に排出する（Ｓ６０９）。また、ＲＦＩＤデータの読み出しに失敗した場合（Ｓ６０６：Ｎｏ）には、画像データ等の出力を行わずに原稿３２を原稿排出トレイ３５に排出する（Ｓ６０９）。
【００８６】
その後、ＣＰＵ１１は、原稿供給トレイ３４に原稿３２があれば（Ｓ６１０：Ｙｅｓ）、Ｓ６０３に戻って同様の処理を繰り返す。全ての原稿３２について処理を終えた場合（Ｓ６１０：Ｎｏ）には、全ての原稿３２についてＲＦＩＤデータの読み出しが成功したかを判断する（Ｓ６１１）。そして、全てのＲＦＩＤデータの読み出しが成功した場合（Ｓ６１１：Ｙｅｓ）には、このリカバリ処理を抜ける。また、読み出しに失敗した原稿３２が存在する場合（Ｓ６１１：Ｎｏ）には、リカバリ処理を再度実行する（Ｓ６１２）。
【００８７】
以上のように、始めの読み出しによりＲＦＩＤデータの読み出しに失敗した原稿３２が存在する場合には、全ての原稿３２の読み出しが完了するまでリカバリ処理が繰り返される。なお、リカバリ処理が所定の実行回数に至ったときは、ＲＦＩＤデータの読み出しエラーが生じた旨を通知して、リカバリ処理を中止しても良い。
【００８８】
（本実施形態の効果）
以上のように本実施形態によれば、ＲＦＩＤタグ３２Ａ付き原稿３２に対し原稿画像の読み取り動作及びＲＦＩＤデータの読み出し動作を実行したとき、読み出し動作に失敗した場合には、ユーザにより排出された原稿３２を原稿供給トレイ３４に再セットさせる。そして、原稿供給トレイ３４にセットされた原稿３２が読み出し動作に失敗した用紙２５か否かを判別し、読み出し動作に失敗した原稿３２に対して失敗した読み出し動作を補うための再読み出し動作を実行する。これにより、読み出し動作に失敗した場合のリカバリを円滑に行うことができる。
【００８９】
また、再読み出し動作を行う際に、ＲＦＩＤタグ３２Ａに記憶された識別情報等のデータに基づいて読み出し動作に失敗した原稿３２か否かを判別する。これにより読み出し動作に失敗した原稿３２か否かの判別を簡易に行うことができる。
【００９０】
また、再読み出し動作を行う際に、原稿供給トレイ３４にセットされた原稿３２が読み出し動作に失敗した原稿３２でない場合には、その原稿３２に対する再読み出し動作を行わずに排出する。これにより、読み出し動作が完了した原稿３２に対して再度読み出し動作を行うという不要な処理を省くことができる。
【００９１】
また、再読み出し動作の際には、原稿３２に対する読み取り動作を実行しない。これにより、一度画像を読み取った原稿３２の画像を再度読み取る、といった不要な処理を省くことができる。
【００９２】
また、読み出し動作に失敗した場合に、排出された原稿３２を原稿供給トレイ３４にセットするように通知するため、ユーザが適切に対処することができる。
【００９３】
また、読み出し動作が失敗した場合に、原稿供給トレイ３４への原稿３２のセットが完了したことについての情報が取得されたこと（例えば、ユーザにより操作部２０から再セットの完了を示す情報が入力されたことや、あるいは原稿供給トレイ３４への原稿３２の再セットがセンサにより検知されたことなど）に基づいて、再読み出し動作を開始する。これにより、適切なタイミングで再読み出し動作が実行されるため、リカバリを円滑に行うことができる。
【００９４】
＜他の実施形態＞
本発明は上記記述及び図面によって説明した実施形態に限定されるものではなく、例えば次のような実施形態も本発明の技術的範囲に含まれる。
【００９５】
（１）上記実施形態２では、アクセス動作（書き込み動作）に失敗したシート（用紙２５）を成功したシートとを分離して排出することで、両者を識別可能とするものを示したが、本発明によれば、排出されたシートのうちからアクセス動作に失敗したシートを識別するための情報（シートの順番やシートに形成した画像若しくはシートから読み取った画像に関する情報など）を表示部１９に表示させても良い。アクセス動作に成功したシートと失敗したシートとを同じトレイ上に排出する場合でも、例えば、トレイ上におけるシートの排出位置をずらすことにより両者を分別しても良い。これらによっても、ユーザがアクセス動作に失敗したシートのみを容易に取り分けて再セットすることができる。また、データの読み出しに失敗した場合に、読み出し動作に成功したシートと失敗したシートとを分別して排出しても良い。
【００９６】
（２）上記実施形態３では、読み取り処理によって得られた画像データ及びＲＦＩＤデータをネットワークを介して外部に出力するものを示したが、本発明によれば、画像データ及びＲＦＩＤデータを、例えば複合機３０に接続した記録メディアに保存しても良い。あるいは、ＲＦＩＤタグ３２Ａ付き原稿３２の複製を作成する際に、読み取り処理を実行し、取得された画像データに基づいてＲＦＩＤタグ２５Ａ付き用紙２５に画像を印刷し、さらに取得されたＲＦＩＤデータをその用紙２５のＲＦＩＤタグ２５Ａに書き込むようにしても良い。
【００９７】
（３）本発明によれば、アクセス動作が失敗した際に、リカバリ処理を実行するか否かを操作部２０からの入力等に基づいてユーザが選択できるようにしても良い。
（４）上記実施形態１，２の印刷書込処理において、用紙２５に添付されたＲＦＩＤタグ２５Ａとの通信ができない場合や、あるいはリカバリ処理によっても正常に書き込みができない場合には、供給トレイ２６に積載される別のＲＦＩＤタグ付き用紙２５に対して、書き込みに失敗した用紙２５と同一の画像の印刷とＲＦＩＤデータの書き込みとを行っても良い。
【００９８】
（５）本発明は、電子写真方式やインクジェット方式など、種々の方式の画像形成装置に適用することができる。また、本発明は、画像形成機能を備えていないスキャナ装置などにも適用することができる。
【符号の説明】
【００９９】
１…プリンタ（画像処理装置）
１１…ＣＰＵ（制御手段、明示手段）
１５…ネットワークインターフェイス（通知手段）
１７…画像形成部（画像処理手段）
１８…ＩＣリーダライタ（アクセス手段）
１９…表示部（通知手段）
２０…操作部（取得手段）
２１…搬送機構
２５…用紙（シート）
２５Ａ…ＲＦＩＤタグ（記憶部）
２６…供給トレイ（供給部）
３０…複合機（画像処理装置）
３２…原稿（シート）
３２Ａ…ＲＦＩＤタグ（記憶部）
３４…原稿供給トレイ（供給部）
３６…原稿供給機構（搬送手段）
３７…原稿センサ（取得手段）
３８…ＩＣリーダ（アクセス手段）
３９…スキャナ部（画像処理手段）
【図１】
2010199990.tif 000003
【図２】
2010199990.tif 000004
【図３】
2010199990.tif 000005
【図４】
2010199990.tif 000006
【図５】
2010199990.tif 000007
【図６】
2010199990.tif 000008
【図７】
2010199990.tif 000009
【図８】
2010199990.tif 000010
【図９】
2010199990.tif 000011
【図１０】
2010199990.tif 000012